(57)【要約】【課題】多機能を備えつつ、設置規模やコストを抑制した電話装置を提供することを目的とする。【解決手段】電話回線３の２線の中点電圧値を出力する中点抽出回路１７と、中点電圧値および電話回線３のそれぞれの電圧値に基づいて、回線電圧変動の検出および電話回線の極性の判定を検出する検出部１８とを備えた。中点抽出回路１７は、分割抵抗１７ａ，１７ｂとすることで、電話回線３の電圧変動の検出を、線間電圧の変動で検出するのではなく、留守番機能付き電話装置１のセットグランドとこの中点抽出回路１７の出力との間の電圧を測定することで検出することができ、容易な電気回路の構成で中点電圧値を出力することができる。【選択図】図１
2006005428.tif 000002
【特許請求の範囲】
【請求項１】
電話回線の２線の中点電圧値を出力する中点抽出手段と、
前記中点電圧値および前記電話回線のそれぞれの電圧値に基づいて、回線電圧変動の検出および前記電話回線の極性の判定を検出する検出手段とを備えたことを特徴とする電話装置。
【請求項２】
前記中点抽出手段は、分割抵抗もしくはカソード同士を接続したダイオードである請求項１記載の電話装置。
【請求項３】
前記回線電圧変動の検出は、前記中点電圧値と第１の閾値電圧とを比較し、前記中点電圧値が前記第１の閾値電圧を上回る、または下回ることを検出することである請求項１または２記載の電話装置。
【請求項４】
前記電話回線の極性の判定の検出は、前記電話回線のそれぞれの電圧値と第２の閾値電圧とを比較し、前記電話回線のそれぞれの電圧値が前記第２の閾値電圧を上回る、または下回ることを検出することである請求項１から３のいずれかの項に記載の電話装置。
【発明の詳細な説明】
【技術分野】
【０００１】
本発明は、一般公衆回線網または内線に接続される電話装置に関する。
【背景技術】
【０００２】
電話回線は交換局からＡ線とＢ線といわれる２線で宅内にある電話装置と接続されている。この電話回線は、交換局から４８Ｖが給電されている。
【０００３】
電話回線は２線しかないため、電話装置で様々な機能を実現するために、電話回線の極性反転や電圧の変動を利用して行われる。
【０００４】
例えば、交換局は、発信元確認などに用いられるコールＩＤの送信トリガとしてこの４８Ｖの極性を反転させることで電話装置に通知する。
【０００５】
また、オートディスコネクトと呼ばれる機能がある。これは、例えば２台の電話装置が別々の部屋に設置され、電話回線に並列に接続されており、そのうち１台が留守番電話機能付き電話装置とする。この留守番電話機能付き電話装置が着信すると自動的にオフフックしてメッセージ録音をする。このとき電話回線は４８Ｖから６〜７Ｖ程度まで電圧が低下する。そしてメッセージ録音している最中に、他の部屋に設置された電話装置をオフフックすると、電話回線は負荷が増えたことにより５Ｖ付近まで電圧が低下する。留守番電話機能付き電話装置は、電話回線の電圧変動を検知してメッセージ録音を停止することで、無駄なメッセージ録音を途中で中止することができるという機能である。
【０００６】
また、コーリング・パーティ・コントロール（Calling Party Control，以下、「ＣＰＣ」と称す。）と呼ばれる機能がある。これは、通話中の電話装置に対して、交換局が通話相手のオンフックによる電圧変動から通話相手側回線の回線切断を検知すると、６Ｖ程度となっている通話中の電話装置側の回線電圧を所定時間だけ０Ｖとすることで通知する。電話回線が、通話中では６〜７Ｖ付近となっていた電圧が所定時間だけ０Ｖとなることで、通話相手の電話装置がオンフックされたことを検知して、留守番電話機能付き電話装置であればメッセージ録音を停止することができ、オートディスコネクトと同様に無駄なメッセージ録音を停止することができるという機能である。
【０００７】
これらの機能を電話装置で実現するためには、電話回線の極性反転を検知する回路や、６〜７Ｖから５Ｖ程度まで電圧低下を検知する回路や、６〜７Ｖ付近となっていた電圧が一時的に０Ｖなることを検知する回路をそれぞれ設けていた。
【０００８】
例えば、上述したオートディスコネクト機能を備えた電話装置が特許文献１に記載されている。この特許文献１に記載の電話装置は、電話回線の回線電流を整流部で電圧に変換し、Ａ／Ｄ変換部でその電圧を測定する。フック状態検出部は、受話器の状態を検出して、オフフックした時点での回線電圧を初期値として記憶部に格納する。比較部は、定期的に測定した回線電圧と、記憶部に格納した初期値を比較する。そして比較結果として差が一定値以上となったら他の電話装置から使用要求があったものとして警報発生部が警報音を発生させ、使用者に注意を促すものである。
【特許文献１】特開平９−３１２６９０号公報
【発明の開示】
【発明が解決しようとする課題】
【０００９】
従来の電話装置は、例えば特許文献１に記載の電話装置のように、オートディスコネク
ト機能を備えたものであっても、ＣＰＣ機能や、交換局からコールＩＤを受信するトリガとなる極性反転を検出する機能を備えるためには、別に回路を設ける必要がある。
【００１０】
つまり、それぞれの機能を備えるためには、回路を追加する必要があり、部品点数が増加するので、装置規模が大きくなるとともに、コストが上がる。
【００１１】
電話装置は、家庭では設置する場所も限られており、電話台などの上に置かれることも多い。そのため、多機能を備えた電話装置としても、回路部品が増え、搭載する基板の面積が広くなることによる設置面積を広くすることができないため、回路部品の増加は大きな問題となる。
【００１２】
そこで本発明は、多機能を備えつつ、設置規模やコストを抑制した電話装置を提供することを目的とする。
【課題を解決するための手段】
【００１３】
本発明の電話装置は、電話回線の２線の中点電圧値を出力する中点抽出手段と、前記中点電圧値および前記電話回線のそれぞれの電圧値に基づいて、回線電圧変動の検出および前記電話回線の極性の判定を検出する検出手段とを備えたことを特徴とする。
【発明の効果】
【００１４】
本発明の電話装置によれば、電話回線の電圧変動を２線の中点電圧値を出力する中点抽出手段を備え、中点電圧値および電話回線のそれぞれの電圧値に基づいて、検出手段が回線電圧変動の検出および前記電話回線の極性の判定を検出するので、多機能を備えつつ、設置規模やコストを抑制することができる。
【発明を実施するための最良の形態】
【００１５】
本願の第１の発明は、電話回線の２線の中点電圧値を出力する中点抽出手段と、中点電圧値および電話回線のそれぞれの電圧値に基づいて、回線電圧変動の検出および電話回線の極性の判定を検出する検出手段とを備えたことを特徴としたものであり、中点抽出手段が電話回線の２線の中点電圧値を出力し、この中点電圧値と、電話回線のそれぞれの電圧値とに基づいて、制御手段が回線電圧変動の検出と電話回線の極性の判定を検出するので、発信元確認などに用いられるコールＩＤの送信トリガとして交換局から通知される電話回線の極性反転や、通話中の電話回線の電圧変動によるオートディスコネクトや、ＣＰＣなどの機能を備えることができる。
【００１６】
本願の第２の発明は、中点検出手段は、分割抵抗もしくはカソード同士を接続したダイオードとしたものであり、電話回線の２線を分割抵抗もしくはカソード同士を接続したダイオードで接続することで、容易な電気回路の構成で中点電圧値を出力することができる。
【００１７】
本願の第３の発明は、回線電圧変動の検出は、中点電圧値と所定の閾値電圧とを比較し、中点電圧値が閾値電圧を上回る、または下回ることを検出することであり、電話回線の中点電圧値が第１の閾値電圧（相対値（変化量））を上回る、または下回ることを検出することで電話回線の電圧変動を容易に判定することができる。
【００１８】
本願の第４の発明は、電話回線の極性の判定の検出は、電話回線のそれぞれの電圧値と第２の閾値電圧とを比較し、電話回線のそれぞれの電圧値が第２の閾値電圧を上回る、または下回ることを検出することであり、電話回線のそれぞれの電圧値が第２の閾値電圧（絶対値）を上回る、または下回ることを検出することで電話回線の極性の反転を容易に判定することができる。
【００１９】
（実施の形態）
本発明の実施の形態に係る電話装置の回線電圧検出回路の構成を、留守番機能付き電話装置を例に、図１および図２に基づいて説明する。図１は本発明の実施の形態に係る電話装置の回線電圧検出回路の構成を示す図である。図２は中点抽出回路の構成を示す図である。
【００２０】
図１に示すように、留守番機能付き電話装置１の回線電圧検出回路は、電話回線３に接続され宅内に設置されている。この留守番機能付き電話装置１の他に、電話装置２が電話回線３に並列に接続されている。電話回線３は図示しない交換局の交換機と接続されている。
【００２１】
電話回線３は、２線式であり、Ａ線３ａとＢ線３ｂとで構成され、このＡ線３ａとＢ線３ｂとの線間に交換機から、無通話状態で約４８Ｖの直流の線間電圧がかかっている。
【００２２】
電話回線３は、整流子１１ａにＢ線３ｂがフックスイッチ１２を経由して接続されている。フックスイッチ１２は、後述する制御部により着信を検知すると短絡して導通することで、この留守番機能付き電話装置１がオフフックした状態とするスイッチである。
【００２３】
整流子１１ａとトランス１１ｂとで回線１次側を形成し、オフフック状態でＤＣループとなるようにしている。
【００２４】
電話回線３のＡ線３ａとＢ線３ｂとは、それぞれ絶縁回路１３ａ，１３ｂとに接続されている。この絶縁回路１３ａ，１３ｂのそれぞれは、同一の抵抗値を持つ２つの抵抗を直列に接続した回路であり、電話回線規格の絶縁抵抗規格（Ａ線３ａとセットグランドとの間、およびＡ線３ｂとセットグランドとの間）による値になる。電話回線規格一般に絶縁回路１３ａ，１３ｂはそれぞれを数十ＭΩとなる。絶縁回路１３ａ，１３ｂのそれぞれを数十ＭΩとした高抵抗とすることで、高電圧がかかる電話回線３側と、操作者が触れると感電する可能性のある留守番機能付き電話装置１側とを擬似的に分離するアイソレータとなる。
【００２５】
絶縁回路１３ａ，１３ｂは高抵抗であるため、絶縁回路１３ａ，１３ｂから出力された電話回線３のＡ線３ａとＢ線３ｂからの電圧は微小となる。そのため電圧をＡ線増幅回路１４ａとＢ線増幅回路１４ｂとでＡ線３ａ側とＢ線３ｂ側のそれぞれを増幅する。これらＡ線増幅回路１４ａとＢ線増幅回路１４ｂからの出力は、後述するＡＤ変換器の入力電圧に対応させるように、Ａ線電圧調整回路１５ａとＢ線電圧調整回路１５ｂとにより調整される。
【００２６】
ゲイン調整回路１６は、Ａ線電圧調整回路１５ａとＢ線電圧調整回路１５ｂとの電圧の調整度合いを制御する回路である。オンフック状態とオフフック状態とでは電話回線３の電圧が大きく異なり、オンフック状態では、例えば電話回線３の線間電圧を０Ｖ付近から５０Ｖ付近まで監視する必要があり、オフフック状態では電話回線３の線間電圧を０Ｖ付近から１０Ｖ付近まで監視する必要がある。ゲイン調整回路１６は、フックスイッチ１２の状態に従って、オンフック状態とオフフック状態とに応じてＡ線電圧調整回路１５ａとＢ線電圧調整回路１５ｂとの電圧調整の度合いを変更する。このように状態に応じて適切な電圧に調整することで、後述する検出部での電圧の監視の精度を向上させることができる。
【００２７】
調整されたＡ線とＢ線は、中点抽出回路１７に接続されている。中点抽出回路１７は、Ａ線とＢ線との線間電圧の中点電圧値を出力する。この中点抽出回路１７は、たとえば図
２（ａ）に示すように分割抵抗とすることで、容易に中点電圧値を出力することができる。つまり、電話回線３の電圧変動の検出を、線間電圧の変動で検出するのではなく、留守番機能付き電話装置１のセットグランドとこの中点抽出回路１７の出力との間の電圧を測定することで検出することができる。この分割抵抗の抵抗１７ａと抵抗１７ｂとは同じ抵抗値（電圧値）とするのが望ましい。同じ抵抗値（電圧値）とすることで、Ａ線３ａ側とＢ線３ｂ側との線間電圧の半分の電圧値を出力することができる。また中点抽出回路１７は、図２（ｂ）に示すように、ダイオード１７ｃ，１７ｄのカソード同士を接続した構成としてもよい。
【００２８】
Ａ線電圧調整回路１５ａとＢ線電圧調整回路１５ｂと中点抽出回路１７との出力は、Ａ線電圧調整回路１５ａの出力をLine-DCIN+とし、Ｂ線電圧調整回路１５ｂの出力をLine-DCIN-とし、中点抽出回路１７の出力をOFF-HOOK_LINE-DCINとして、検出部１８に接続されている。
【００２９】
検出部１８は、これらのＡ線電圧調整回路１５ａとＢ線電圧調整回路１５ｂと中点抽出回路１７との出力に基づいて、電話回線３の電圧変動の検出および電話回線３の極性の判定を検出している。
【００３０】
検出部１８は、それぞれの電圧をデジタル値へ変換するＡＤ変換器１８ａと、デジタル変換された信号を所定の閾値電圧と比較する制御部１８ｂと、制御部１８ｂに所定時間を通知するタイマ１８ｃとを備えている。
【００３１】
ＡＤ変換器１８ａは、Ａ線電圧調整回路１５ａとＢ線電圧調整回路１５ｂと中点抽出回路１７との出力の電圧値をデジタル値へ変換する。
【００３２】
制御部１８ｂは、ＡＤ変換器１８ａによりデジタル変換された電圧値により、回線電圧の変動または極性の判定を行う。
【００３３】
回線電圧の変動は、フックスイッチ１２がオフフック状態（短絡状態）において、中点抽出回路１７の出力であるOFF-HOOK_LINE-DCINの電圧値が、制御部１８ｂに設定された所定の電圧（第１の閾値電圧）を上回るまたは下回る変化をしたことを制御部１８ｂにより検出する。また、極性の判定は、フックスイッチ１２がオンフック状態（開放状態）において、Ａ線電圧調整回路１５ａの出力であるLine-DCIN+と、Ｂ線電圧調整回路１５ｂの出力であるLine-DCIN-とが、制御部１８ｂに設定された所定の電圧（第２の閾値電圧）を、上回るまたは下回る変化をしたことを制御部１８ｂにより検出する。この検出は、制御部１８ｂが有するメモリにＡＤ変換器１８ａの電圧値を格納して、前回格納した電圧値と比較することで電圧値が変動したか否かで行われる。
【００３４】
また、制御部１８ａは、フックスイッチ１２を制御する機能を有している。例えば、図示しない着信検出回路からの通知により、フックスイッチ１２を短絡させてオフフック状態としたり、通話が完了するとフックスイッチ１２を開放してオンフック状態としたりする。
【００３５】
タイマ１８ｃは、所定時間の計測をして制御部１８ｂへ通知する。
【００３６】
以上のように構成される本発明の実施の形態に係る電話装置の回線電圧検出回路の動作を図３から図８に基づいて説明する。図３は本発明の実施の形態に係る電話装置の回線電圧検出回路の動作を説明するフローチャートである。図４（ａ）〜（ｃ）は通話中に併設電話装置２がオフフックされた場合の電圧変動を説明する図、図５はオートディスコネクト閾値の設定を説明する図である。図６は本発明の実施の形態に係る電話装置の回線電圧
検出回路の動作を説明するフローチャートである。図７（ａ）〜（ｂ）は電話回線の極性反転時の電圧変動を説明する図、図８は極性反転を判定するための閾値の設定を説明する図である。
【００３７】
まず、留守番機能付き電話装置１の回線電圧検出回路による電話回線３の電圧変動の検出を図３に基づいて説明する。
【００３８】
図３に示すように、留守番機能付き電話装置１の初期状態は、オンフック状態であり、回線捕捉待ちまたは極性反転待ち状態である（Ｓ１００）。そして着信検出回路にて着信が検出されない場合はＳ１００を繰り返す（Ｓ１１０）。
【００３９】
着信検出回路にて着信を検出すると、オフフックとするようフックスイッチ１２を短絡状態とし、図示しない留守番機能を有する回路である留守番電話部により留守録を開始する（Ｓ１２０）。
【００４０】
電話回線３のＡ線３ａとＢ線３ｃとは、絶縁回路１３ａ，１３ｂとを介してＡ線増幅回路１４ａとＢ線増幅回路１４ｂとで電流が増幅され、Ａ線電圧調整回路１５ａとＢ線電圧調整回路１５ｂとで電圧が調整され、中点抽出回路１７により中点電圧値をOFF-HOOK_LINE-DCINとして検出部１８へ入力される。
【００４１】
検出部１８に入力されたOFF-HOOK_LINE-DCINは、ＡＤ変換器１８ａによりデジタル値に変換されて制御部１８ｂのメモリに格納される。制御部１８ｂは、このＡＤ変換器１８ａからの出力を周期的に読み取りメモリに格納する（Ｓ１３０）。
【００４２】
制御部１８ｂは、ＡＤ変換器１８ａから読み込むと、前回メモリに格納した電圧値と比較して異なるか否かで電話回線３の電圧が変動したか否かを判定する。電話回線３の電圧が変動していない場合は、Ｓ１３０へ移行する。そして、制御部１８ｂは、これを周期的に繰り返すことで、電話回線３の電圧変動の監視を行っている（Ｓ１４０）。
【００４３】
Ｓ１４０にて電話回線３の電圧変動を検出すると、ＣＰＣ閾値（絶対値）を下回ったか否かを判定する。これは、交換局が留守番機能付き電話装置１の通話相手のオンフックによる電圧変動から、通話相手側の電話回線３の回線切断を検知すると、通話中で６Ｖとなっている電話回線３の電圧を０ＶとするＣＰＣの通知を判定することである。つまりＣＰＣ閾値は、電話回線３上で、６Ｖが０Ｖとなったか否かを判定するための閾値である（Ｓ１５０）。
【００４４】
Ｓ１５０にて、OFF-HOOK_LINE-DCINをＡＤ変換器１８ｂにより変換した電圧値が、ＣＰＣ閾値（絶対値）を下回った場合に、ＣＰＣ閾値（絶対値）を下回った時間が所定時間以上か否かを判定する。これは制御部１８ｂがタイマ１８ｃにより時間計測を行って判定をする（Ｓ１６０）。
【００４５】
Ｓ１６０にて所定時間に満たない場合はＳ１４０へ移行する。所定時間以上の場合は、交換局からＣＰＣの通知であるため、通話相手が回線切断したことを意味しているので、留守録を停止するように、制御部１８ｂは留守番電話部へ通知する（Ｓ１７０）。
【００４６】
Ｓ１５０にて、制御部１８ｂによりＣＰＣ閾値（絶対値）を下回っていないと判定されると、ディスコネクト閾値（相対値（変化量））を上回ったか否かを判定する。これは留守番電話機能付き電話装置１が通話中である場合に、６Ｖ程度となっている電話回線３が、電話装置２のオフフックにより５Ｖ程度まで更に低下したか否かを判定することである。つまりディスコネクト閾値（相対値（変化量））は、電話回線３上で、６Ｖ程度となっ
た電話回線３の電圧が、約５Ｖ程度となったか否かを判定する閾値である。ディスコネクト閾値（相対値（変化量））を上回っていない場合は、Ｓ１３０へ移行する。（Ｓ１８０）。
【００４７】
Ｓ１８０にて、OFF-HOOK_LINE-DCINをＡＤ変換器１８ａにより変換した電圧値が、ディスコネクト閾値（相対値（変化量））を上回った場合に、ディスコネクト閾値（相対値（変化量））を超えた時間が所定時間以上か否かを判定する。これは制御部１８ｂがタイマ１８ｃにより時間計測を行って判定をする。所定時間を超えていない場合は、Ｓ１３０へ移行する（Ｓ１９０）。
【００４８】
Ｓ１９０にて所定時間以上であると判定された場合は、電話装置２がオフフックしたことを意味しているので、留守録を停止するように、制御部１８ｂは留守番電話部へ通知する（Ｓ２００）。
【００４９】
ここで、電話回線３のオートディスコネクトによる電圧変動について図４に基づいて詳細に説明する。図４は、通話中（電話装置１自体がオフフック状態）において、タイミングＴ１で電話装置２がオフフックされた場合を示す。図４（ａ）はＡ側の線３ａとＢ側の線３ｂの電圧変化を、また図４（ｂ）はＡ側のLine-DCIN+とＢ側のLine-DCIN-の電圧変化を示す。また図４（ｃ）は、Line-DCIN+とLine-DCIN-との中点電圧であるOFF-HOOK_LINE-DCINの電圧変化を示す。
【００５０】
電話装置１がオフフック状態になると（通話中）、電話回線３は、線間電圧４８Ｖが６Ｖ付近まで電圧降下する。図４（ａ）の例ではセットグランドに対してＡ線３ａ側が０Ｖ、Ｂ線３ｂ側が６Ｖで線間電圧が６Ｖとなっている。この状態でタイミングＴ１にて電話装置２がオフフックすると、Ｂ側電圧が５Ｖ程度まで低下する。
【００５１】
電圧低下した電話回線３のＡ線３ａとＢ線３ｂは、それぞれ絶縁回路１３ａ，１３ｂと、Ａ線増幅回路１４ａ，１４ｂと、Ａ線電圧調整回路１５ａ，１５ｂとで増幅および電圧が調整される。図４（ｂ）に示すように、電話回線３のＡ線３ａは変動がないため、Line-DCIN+は変動しないが、Ｂ線３ｂはタイミングＴ１にて変動しているため、Line-DCIN-がタイミングＴ１にて電圧変動する。従って、図４（ｃ）に示すように、Line-DCIN+とLine-DCIN-との中点電圧であるOFF-HOOK_LINE-DCINは、Line-DCIN+とLine-DCIN-との電圧値の和の１／２の値となる。
【００５２】
制御部１８ｂは、このようにOFF-HOOK_LINE-DCINの電圧変動を検出すると、図５に示すようにオートディスコネクト閾値（相対値（変化量））を上回った否かを判定することで、通話中に電話装置２がオフフックしたか否かを判定する。またこの判定をタイマ１８ｃにより所定時間以上継続しているか否かを判定することで、電話回線３の一時的な電圧変動による誤検知を防止する。
【００５３】
次に、留守番機能付き電話装置１の回線電圧検出回路による電話回線の極性の判定の検出を図６に基づいて説明する。
【００５４】
図６に示すように、Ａ線電圧調整回路１５ａとＢ線電圧調整回路１５ｂとで電圧が調整されたLine-DCIN+とLine-DCIN-とを入力したＡＤ変換器１８ａによりデジタル値に変換されて制御部１８ｂのメモリに格納される。制御部１８ｂは、このＡＤ変換器１８ａからの出力を周期的に読み取りメモリに格納する（Ｓ２１０）。
【００５５】
制御部１８ｂは、ＡＤ変換器１８ａからの読み込むと、前回メモリに格納した電圧値と比較して異なるか否かで電話回線３の電圧が変動したか否かを判定する。電話回線３の電
圧が変動していない場合は、Ｓ２１０へ移行する。そして、制御部１８ｂは、これを周期的に繰り返すことで、電話回線３の電圧変化の監視を行っている（Ｓ２２０）。
【００５６】
Ｓ２２０にて電話回線３の電圧変化を判定すると、制御部１８ｂは、変化後のLine-DCIN+とLine-DCIN-とを入力したＡＤ変換器１８ａの電圧値を読み込む（Ｓ２３０）。
【００５７】
制御部１８ｂは、所定の閾値電圧（極性判定閾値（絶対値））をLine-DCIN+およびLine-DCIN-が上回って、または下回って電圧変動したか否かを判定する。極性判定閾値（絶対値）を上回って、または下回っていない場合はＳ２１０へ移行する。極性判定閾値を上回って、または下回っている場合は、制御部１８ｂは電話回線３の極性が反転したと判定する（Ｓ２４０）。この極性反転は、交換局がコールＩＤの送信トリガとして通知するなどであるため、制御部１８ｂはコールＩＤの受信の準備をする（Ｓ２５０）。
【００５８】
ここで、この極性反転時の電圧変動を図７に基づいて詳細に説明する。図７（ａ）はＡ線３ａとＢ線３ｂは電圧変動を示し、図の例では、極性反転の前はＡ側の線３ａは０Ｖ，Ｂ側の線３ｂは４８Ｖである。この状態でタイミングＴ２にて交換局がコールＩＤの送信トリガとなる極性反転をしたとする。極性反転により、Ａ側の線３ａは４８Ｖ，Ｂ側の線３ｂは０Ｖに変わる。極性反転した電話回線３のＡ線３ａとＢ線３ｂは、それぞれ絶縁回路１３ａ，１３ｂと、Ａ線増幅回路１４ａ，１４ｂと、Ａ線電圧調整回路１５ａ，１５ｂとで増幅および電圧が調整される。
【００５９】
図７（ｂ）はＡ側のLine-DCIN+とＢ側のLine-DCIN-の電圧変化を示す。図７（ｂ）に示すように、電話回線３のＡ線３ａはタイミングＴ２にて０Ｖから４８Ｖへ変動しているため、Line-DCIN+は０Ｖからプラス電圧方向へ変動する。またＢ線３ｂはタイミングＴ２にて４８Ｖから０Ｖへ変動しているためLine-DCIN-はタイミングＴ２にて０Ｖとなる。
【００６０】
制御部１８ｂは、このようなLine-DCIN+とLine-DCIN-の電圧変動を検出すると、図８に示すように、閾値電圧（絶対値）を上回って、または下回ってか否かを判定することで極性反転を検出する。
【００６１】
以上のように、本発明の実施の形態に係る電話装置の回線電圧変動検出回路によれば、中点抽出回路１７が電話回線３の２線の中点電圧値を出力し、この中点電圧値と、電話回線３のそれぞれの電圧値とに基づいて、制御部１８ｂが回線電圧３の電圧変動の検出と電話回線３の極性の判定を検出するので、発信元確認などに用いられるコールＩＤの送信トリガとして交換局から通知される電話回線３の極性反転や、通話中の電話回線３の電圧変動によるオートディスコネクトや、ＣＰＣなどの機能を備えることができる。
【産業上の利用可能性】
【００６２】
本発明は、多機能を備えつつ、設置規模やコストを抑制することができるので、一般公衆回線網または内線に接続される電話装置に好適である。
【図面の簡単な説明】
【００６３】
【図１】本発明の実施の形態に係る電話装置の回線電圧検出回路の構成を示す図
【図２】中点抽出回路の構成を示す図
【図３】本発明の実施の形態に係る電話装置の回線電圧検出回路の動作を説明するフローチャート
【図４】通話中に併設電話装置がオフフックされた場合の電圧変動を説明する図
【図５】オートディスコネクト閾値の設定を説明する図
【図６】本発明の実施の形態に係る電話装置の回線電圧検出回路の動作を説明するフローチャート
【図７】電話回線の極性反転時の電圧変動を説明する図
【図８】極性反転を判定するための閾値の設定を説明する図
【符号の説明】
【００６４】
１    留守番機能付き電話装置
２    電話装置
３    電話回線
３ａ    Ａ線
３ｂ    Ｂ線
１１ａ    整流子
１１ｂ    トランス
１２    フックスイッチ
１３ａ，１３ｂ    絶縁回路
１４ａ    Ａ線増幅回路
１４ｂ    Ｂ線増幅回路
１５ａ    Ａ線電圧調整回路
１５ｂ    Ｂ線電圧調整回路
１６    ゲイン調整回路
１７    中点抽出回路
１８    検出部
１８ａ    ＡＤ変換器
１８ｂ    制御部
１８ｃ    タイマ
【図１】
2006005428.tif 000003
【図２】
2006005428.tif 000004
【図３】
2006005428.tif 000005
【図４】
2006005428.tif 000006
【図５】
2006005428.tif 000007
【図６】
2006005428.tif 000008
【図７】
2006005428.tif 000009
【図８】
2006005428.tif 000010